(57)【特許請求の範囲】
【請求項１】
密閉室と、
この密閉室内に設けられ、ウェブに対して印刷を施すグラビア版胴および圧胴と、このグラビア版胴および圧胴の下流側に位置する乾燥室とを有するグラビア印刷機と、を備え、
乾燥室を有するグラビア印刷機が内部に設けられた密閉室に、湿度調整された空気を供給する湿度調整空気供給装置が設けられ、
グラビア印刷機の乾燥室に、密閉室に開放して、湿度調整されて供給された密閉室内の空気を導入する空気導入口が設けられるとともに、乾燥室内の空気を直接密閉室外へ排気する排気管が設けられていることを特徴とするグラビア印刷システム。
【請求項２】
密閉室内に、この密閉室内の湿度を計測する密閉室用湿度計測手段が設けられ、
この密閉室用湿度計測手段に、密閉室用湿度計測手段により計測された計測値に基づいて、湿度調整空気供給装置を制御する制御装置が接続されることを特徴とする請求項１に記載のグラビア印刷システム。
【請求項３】
密閉室と、
この密閉室内に設けられ、ウェブに対して印刷を施すグラビア版胴および圧胴と、このグラビア版胴および圧胴の下流側に位置する乾燥室とを有するグラビア印刷機と、を備え、
密閉室に湿度調整された空気を供給する湿度調整空気供給装置が設けられ、
グラビア印刷機の乾燥室に、密閉室に開放して密閉室内の空気を導入する空気導入口が設けられるとともに、乾燥室内の空気を直接密閉室外へ排気する排気管が設けられ、
密閉室内に、この密閉室内の湿度を計測する密閉室用湿度計測手段が設けられ、
この密閉室用湿度計測手段に、密閉室用湿度計測手段により計測された計測値に基づいて、湿度調整空気供給装置を制御する制御装置が接続され、
グラビア印刷機の乾燥室内に、この乾燥室内の湿度を計測する乾燥室用湿度計測手段が設けられ、
この乾燥室用湿度計測手段により計測された計測値は制御装置に送信され、制御装置は、密閉室用湿度計測手段からの計測値と乾燥室用湿度計測手段からの計測値とに基づいて、湿度調整空気供給装置を制御することを特徴とするグラビア印刷システム。
【発明の詳細な説明】
【技術分野】
【０００１】
本発明は、密閉室と、この密閉室内に設けられ、ウェブに対して印刷を施すグラビア版胴および圧胴と、このグラビア版胴および圧胴の下流側に位置する乾燥室とを有するグラビア印刷機とを備えたグラビア印刷システムに係り、とりわけ、密閉室内および乾燥室内の空気の湿度調整を行うために要する費用を低減することができるグラビア印刷装置に関する。
【背景技術】
【０００２】
従来より、密閉室と、この密閉室内に設けられ、ウェブに対して印刷を施すグラビア版胴および圧胴と、このグラビア版胴および圧胴の下流側に位置する乾燥室とを有するグラビア印刷機とを備えたグラビア印刷システムが知られている。また、このグラビア印刷システム２０においては、図３に示すように、密閉室２１に湿度調整された空気を供給する密閉室用湿度調整空気供給装置２２が設けられるとともに、グラビア印刷機２３の乾燥室２４に湿度調整された空気を供給する乾燥室用湿度調整空気供給装置２５が設けられている。
【０００３】
このようなグラビア印刷システム２０において、密閉室２１内の空気の湿度調整を行う場合、まず、密閉室用湿度調整空気供給装置２２により密閉室２１外の空気が取り込まれて湿度調整され、密閉室用湿度調整空気供給装置２２と密閉室２１との間に連結された密閉室用供給管２６を通って密閉室２１へ供給される。その後、密閉室２１から、密閉室２１に設けられた密閉室用排気管２７を通って密閉室２１外へ排気される。一方、グラビア印刷機２３の乾燥室２４内の空気の湿度調整を行う場合、まず、乾燥室用湿度調整空気供給装置２５に密閉室２１外の空気が取り込まれて湿度調整され、乾燥室用湿度調整空気供給装置２５と乾燥室２４との間に連結された乾燥室用供給管２８を通って直接乾燥室２４へ供給される。その後、乾燥室２４から、乾燥室２４に設けられた乾燥室用排気管２９を通って直接密閉室２１外へ排気される。
【発明の開示】
【発明が解決しようとする課題】
【０００４】
しかしながら、上述したグラビア印刷システムにおいては、密閉室および乾燥室に湿度調整された空気を供給するために密閉室用湿度調整空気供給装置および乾燥室用湿度調整空気供給装置が各々設けられている。このため、これらの密閉室用湿度調整空気供給装置および乾燥室用湿度調整空気供給装置を設置するための設置費用、および密閉室用湿度調整空気供給装置および乾燥室用湿度調整空気供給装置を運転するための運転費用が多くかかり、密閉室内および乾燥室内の空気の湿度調整を行うために要する費用を低減することが困難になっている。
【０００５】
また、密閉室用湿度調整空気供給装置および乾燥室用湿度調整空気供給装置を運転する際、運転のために比較的多くの運転エネルギが必要になり、省エネ化の妨げになっている。
【０００６】
本発明は、このような点を考慮してなされたものであり、密閉室およびグラビア印刷機の乾燥室内の空気の湿度調整を行うために要する費用を低減することができるグラビア印刷システムを提供することを目的とする。
【課題を解決するための手段】
【０００７】
本発明は、密閉室と、この密閉室内に設けられ、ウェブに対して印刷を施すグラビア版胴および圧胴と、このグラビア版胴および圧胴の下流側に位置する乾燥室とを有するグラビア印刷機と、を備え、密閉室に湿度調整された空気を供給する湿度調整空気供給装置が設けられ、グラビア印刷機の乾燥室に、密閉室に開放して密閉室内の空気を導入する空気導入口が設けられるとともに、乾燥室内の空気を直接密閉室外へ排気する排気管が設けられていることを特徴とするグラビア印刷システムである。
【０００８】
本発明は、密閉室内に、この密閉室内の湿度を計測する密閉室用湿度計測手段が設けられ、この密閉室用湿度計測手段に、密閉室用湿度計測手段により計測された計測値に基づいて、湿度調整空気供給装置を制御する制御装置が接続されることを特徴とするグラビア印刷システムである。
【０００９】
本発明は、グラビア印刷機の乾燥室内に、この乾燥室内の湿度を計測する乾燥室用湿度計測手段が設けられ、この乾燥室用湿度計測手段により計測された計測値は制御装置に送信され、制御装置は、密閉室用湿度計測手段からの計測値と乾燥室用湿度計測手段からの計測値とに基づいて、湿度調整空気供給装置を制御することを特徴とするグラビア印刷システムである。
【発明の効果】
【００１０】
本発明によれば、湿度調整空気供給装置により密閉室に湿度調整された空気が供給され、密閉室内の空気は、グラビア印刷機の乾燥室に設けられた空気導入口を通って乾燥室に導入されて、乾燥室内の空気は、乾燥室に設けられた排気管を通って直接密閉室外へ排気される。このことにより、密閉室内および乾燥室内の空気の湿度調整を、１つの湿度調整空気供給装置により行うことができる。このため、密閉室用および乾燥室用として別々の湿度調整空気供給装置を設置して運転する場合に比べて、湿度調整空気供給装置を設置するための設置費用、および湿度調整空気供給装置を運転するための運転費用を減らして、密閉室内および乾燥室内の空気の湿度調整を行うために要する費用を低減することができる。また、密閉室用および乾燥室用として別々の湿度調整空気供給装置を運転する場合に比べて、湿度調整空気供給装置を運転するために必要となる運転エネルギを少なくすることができ、省エネ化に貢献することができる。
【発明を実施するための形態】
【００１１】
以下、図面を参照して、本発明の実施の形態について説明する。ここで、図１および図２は、本発明の実施の形態におけるグラビア印刷システムを示す図である。このうち図１は、本発明の実施の形態におけるグラビア印刷システムを示す図であり、図２は、グラビア印刷機を示す図である。
【００１２】
まず、図１によりグラビア印刷システムについて説明する。ここで、グラビア印刷システムは、密閉室と、この密閉室内に設けられ、乾燥室を有するグラビア印刷機とを備え、密閉室内および乾燥室内の空気の湿度調整を行うためのものである。
【００１３】
図１および図２に示すようにグラビア印刷システム１は、密閉室２と、この密閉室２内に設けられ、ウェブ１１に対して印刷を施すグラビア版胴１２および圧胴１３と、このグラビア版胴１２および圧胴１３の下流側に位置し、印刷が施されたウェブ１１を乾燥させる乾燥室１４とを有するグラビア印刷機１０とを備えている。
【００１４】
また、図２に示すように、グラビア版胴１２の下方に、インキ１５を貯蔵するインキパン１６が設けられ、このインキパン１６とグラビア版胴１２との間に、インキパン１６に貯蔵されたインキ１５をグラビア版胴１２に塗布するファニッシャー１７が設けられている。
【００１５】
また、図１に示すように、密閉室２の外側に、密閉室２に湿度調整された空気を供給する湿度調整空気供給装置３が設けられ、この湿度調整空気供給装置３と密閉室２との間に、湿度調整空気供給装置３からの空気を案内する供給管４が連結されている。また、グラビア印刷機１０の乾燥室１４に、密閉室２に開放して密閉室２内の空気を導入する空気導入口５が設けられるとともに、乾燥室１４内の空気を直接密閉室外へ排気する排気管６が設けられている。
【００１６】
また、密閉室２内に、この密閉室２内の湿度を計測する密閉室用湿度センサ（密閉室用湿度計測手段）７が設けられ、この密閉室用湿度センサ７に、密閉室用湿度センサ７により計測された計測値に基づいて、湿度調整空気供給装置３を制御する制御装置９が接続されている。
【００１７】
さらに、グラビア印刷機１０の乾燥室１４内に、この乾燥室１４内の湿度を計測する乾燥室用湿度センサ（乾燥室用湿度計測手段）８が設けられている。この乾燥室用湿度センサ８により計測された計測値は制御装置９に送られ、制御装置９は、密閉室用湿度センサ７からの計測値と乾燥室用湿度センサ８からの計測値とに基づいて、密閉室２内および乾燥室１４内の空気を所望の湿度に維持するように湿度調整空気供給装置３を制御する。
【００１８】
次に、このような構成からなる本実施の形態の作用について説明する。
【００１９】
本発明によるグラビア印刷システム１により密閉室２内およびグラビア印刷機１０の乾燥室１４内の空気の湿度調整を行う場合、図１に示すように、まず、密閉室２の外側に設けられた湿度調整空気供給装置３に、密閉室２外の空気が取り込まれる。
【００２０】
次に、この湿度調整空気供給装置３において取り込まれた空気が湿度調整される。この場合、まず、密閉室２内に設けられた密閉室用湿度センサ７により密閉室２内の湿度が計測されるとともに、グラビア印刷機１０の乾燥室１４内に設けられた乾燥室用湿度センサ８により乾燥室１４内の湿度が計測される。次に、密閉室用湿度センサ７により計測された計測値および乾燥室用湿度センサ８により計測された計測値が制御装置９に各々送信される。次に、制御装置９は、この送信されてきた密閉室用湿度センサ７からの計測値と乾燥室用湿度センサ９からの計測値とに基づいて、密閉室２内および乾燥室１４内の空気の湿度が所望の湿度に維持されるように湿度調整空気供給装置３を制御する。その後、湿度調整空気供給装置３において、湿度調整空気供給装置３に取り込まれた空気が湿度調整される。このことにより、密閉室２内および乾燥室１４内の空気を所望の湿度に維持することができる。
【００２１】
次に、湿度調整された空気が、湿度調整空気供給装置３により、湿度調整空気供給装置３と密閉室２との間に連結された供給管４を介して密閉室２に供給される。
【００２２】
次に、密閉室２内の空気は、乾燥室１４に設けられた空気導入口５を通って乾燥室１４に導入される。次に、乾燥室１４に導入された空気は、乾燥室１４において、グラビア印刷機１０のグラビア版胴１２（図２参照）および圧胴１３により印刷が施されたウェブ１１に対して吹き付けられてウェブ１１が乾燥する。
【００２３】
その後、ウェブ１１に対して吹き付けられた空気は、図１に示すように、乾燥室１４に設けられた排気管６を通って直接密閉室２外へ排気される。この場合、ウェブ１１に対して吹き付けられて湿度が上昇した空気は、密閉室２へ排気されることなく、この空気を確実に密閉室２外へ排気することができる。このため、密閉室２内の空気を所望の湿度に維持することができる。
【００２４】
このように本実施の形態によれば、湿度調整空気供給装置３により密閉室２に湿度調整された空気が供給され、密閉室２内の空気は、グラビア印刷機１０の乾燥室１４に設けられた空気導入口５を通って乾燥室１４に導入されて、乾燥室１４内の空気は、乾燥室１４に設けられた排気管６を通って直接密閉室２外へ排気される。このことにより、密閉室２内および乾燥室１４内の空気の湿度調整を、１つの湿度調整空気供給装置３により行うことができる。このため、密閉室２用および乾燥室１４用として別々の湿度調整空気供給装置３を設置して運転する場合に比べて、湿度調整空気供給装置３を設置するための設置費用、および湿度調整空気供給装置３を運転するための運転費用を減らして、密閉室２内および乾燥室１４内の空気の湿度調整を行うために要する費用を低減することができる。また、密閉室２用および乾燥室１４用として別々の湿度調整空気供給装置３を運転する場合に比べて、湿度調整空気供給装置３を運転するために必要となる運転エネルギを少なくすることができ、省エネ化に貢献することができる。
【００２５】
なお、本実施の形態においては、密閉室２内に密閉室用湿度センサ７が設けられるとともに、乾燥室１４内に乾燥室用湿度センサ８が設けられて、密閉室用湿度センサ７からの計測値と乾燥室用湿度センサ８からの計測値とに基づいて制御装置９が湿度調整空気供給装置３を制御する例を示した。しかしながら、これに限ることなく、密閉室用湿度センサ７および乾燥室用湿度センサ８のうちのいずれか一方のみを設けて、制御装置９が湿度調整空気供給装置３を制御することもできる。
【図面の簡単な説明】
【００２６】
【図１】図１は、本発明の実施の形態におけるグラビア印刷システムを示す図。
【図２】図２は、グラビア印刷機を示す図。
【図３】図３は、従来のグラビア印刷システムを示す図。
【符号の説明】
【００２７】
１      グラビア印刷システム
２      密閉室
３      湿度調整空気供給装置
４      供給管
５      導入口
６      排気管
７      密閉室用湿度センサ
８      乾燥室用湿度センサ
９      制御装置
１０    グラビア印刷機
１１    ウェブ
１２    グラビア版胴
１３    圧胴
１４    乾燥室
１５    インキ
１６    インキパン
１７    ファニッシャー
２０    グラビア印刷システム
２１    密閉室
２２    密閉室用湿度調整空気供給装置
２３    グラビア印刷機
２４    乾燥室
２５    乾燥室用湿度調整空気供給装置
２６    密閉室用導入管
２７    密閉室用排気管
２８    乾燥室用導入管
２９    乾燥室用排気管
【図１】
0005245532.tif 000002
【図２】
0005245532.tif 000003
【図３】
0005245532.tif 000004